(57)【要約】【課題】リモコンから発せられた赤外線を操作対象となる電気機器の受光部に確実に受光させる赤外線伝送装置を提供する【解決手段】リモコン２から発せられたテレビ３を操作する赤外線１００を受光する受光部１０と、一端に受光部１０が設けられ、他端に受光部１０から受光された赤外線１００をテレビ３に出光する出光部２０が設けられた、赤外線１００を伝送する光ファイバーケーブル３０と、を備えた赤外線伝送装置１を用いて、確実にリモコン２から発せられた赤外線１００をテレビ３の受光部に受光させることができる。【選択図】図１
2009278164.tif 000002
【特許請求の範囲】
【請求項１】
リモートコントロール装置から発せられた電気機器を操作する赤外線を受光する受光部と、
一端に前記受光部が設けられ、他端に前記受光部から受光された前記赤外線を前記電気機器に出光する出光部が設けられた、当該赤外線を伝送する伝送路と、
を備えた赤外線伝送装置。
【請求項２】
前記伝送路が光ファイバーケーブルであることを特徴とする請求項１に記載の赤外線伝送装置。
【請求項３】
前記受光部は、リモートコントロール装置から発せられた前記赤外線を反射させ、当該赤外線の方向を当該受光部と前記伝送路との連結部に向かせる凹状の曲面を有していることを特徴とする請求項１又は２に記載の赤外線伝送装置。
【請求項４】
前記受光部は、天井面に対して凹状の前記曲面が向くように、当該天井面に取り付けられていることを特徴とする請求項１乃至３の何れか１項に記載の赤外線伝送装置
【請求項５】
前記伝送路は、壁面に沿って設置されていることを特徴とする請求項１乃至４の何れか１項に記載の赤外線伝送装置。
【発明の詳細な説明】
【技術分野】
【０００１】
本発明は、家電製品などの電気機器に対して、赤外線を用いて遠隔操作をすることのできる赤外線伝送装置に関する。
【背景技術】
【０００２】
テレビ、ビデオデッキ、オーディオなどの映像・音響機器、エアコン、扇風機などの空調機器、蛍光灯などの照明機器、に代表される電気機器の多くは、離れた場所から操作することができるリモートコントロール装置（以下、単に「リモコン」と呼称する。）によって遠隔操作可能となっている。
【０００３】
前述したリモコンは指向性を有する赤外線を発信し、電気機器側の受光部にてその赤外線を受光するタイプが主である。そのため、リモコンを用いて操作する際、リモコンの発光部をある程度、操作対象となる電気機器の方向に向ける必要がある。ここで、リモコンと操作対象となる電気機器との間に障害物がある場合、リモコンから発せられた赤外線が障害物により遮断され、うまくリモコン操作ができない場合がある。
【０００４】
そこで、特許文献１には、リモコンから発せられた赤外線を反射させる反射鏡部を天井面に設置し、反射鏡部を介して部屋全体に赤外線を拡散させる赤外線発光装置が開示されている。
【０００５】
【特許文献１】特開２００７−２０８９８１号公報
【発明の開示】
【発明が解決しようとする課題】
【０００６】
しかしながら、特許文献１に開示された発明は、反射鏡部に反射された赤外線が、操作対象となる電気機器の受光部の近辺に置かれた障害物により、遮断される恐れがある。
【０００７】
そこで、本発明の目的は、リモコンから発せられた赤外線を操作対象となる電気機器の受光部に確実に受光させる赤外線伝送装置を提供することである。
【課題を解決するための手段及び効果】
【０００８】
本発明に係る赤外線伝送装置は、上記目的を達成するために以下のようないくつかの特徴を有している。すなわち、本発明の赤外線伝送装置は、以下の特徴を単独で、もしくは適宜組み合わせて備えている。
【０００９】
上記目的を達成するために、本発明に係る赤外線伝送装置は、リモートコントロール装置から発せられた電気機器を操作する赤外線を受光する受光部と、一端に受光部が設けられ、他端に受光部から受光された赤外線を電気機器に出光する出光部が設けられた、赤外線を伝送する伝送路と、を備えている。
【００１０】
上記の構成によれば、電気機器を操作するためにリモートコントロール装置から発せられた赤外線を赤外線伝送装置の受光部が一旦受光し、伝送路を経由して、出光部から再び赤外線を出光することができる。これにより、リモートコントロール装置と操作対象となる電気機器の受光部との間に障害物があった場合でも、赤外線伝送装置の出光部を電気機器の受光部に設置することで、確実にリモートコントロール装置から発せられた赤外線を電気機器の受光部に受光させることができる。
【００１１】
また、本発明に係る赤外線伝送装置において、伝送路が光ファイバーケーブルであってもよい。
【００１２】
上記の構成によれば、赤外線伝送装置の受光部が受光した赤外線を伝送するために電気信号などに変換する必要がなく、受光した赤外線をそのまま操作対象の電気機器の受光部に受光させることができる。さらに、所望の長さを選択でき、且つ柔軟に曲折可能であるため、赤外線伝送装置の設置の自由度が向上する。
【００１３】
また、本発明に係る赤外線伝送装置において、リモートコントロール装置から発せられた赤外線を反射させ、赤外線の方向を受光部と伝送路との連結部に向かせる凹状の曲面を有していてもよい。
【００１４】
上記の構成によれば、リモートコントロール装置から発せられた赤外線を凹状の曲面で反射させることにより、赤外線伝送装置の受光部と伝送路との連結部に赤外線の方向を向かせることができる。これにより、受光部と伝送路との連結部から離れた位置に赤外線が照射された場合でも、凹状の曲面の反射により、赤外線を伝送路に向けて集光させ易くでき、受光部の受光範囲が広がる。
【００１５】
また、本発明に係る赤外線伝送装置において、受光部は、天井面に対して凹状の曲面が向くように、天井面に取り付けられていてもよい。
【００１６】
上記の構成によれば、リモートコントロール装置から発せられた赤外線が受光部から離れた位置に照射された場合でも、赤外線が天井面に反射することを利用して、赤外線を伝送路に向けて集光させることができる。
【００１７】
また、本発明に係る赤外線伝送装置において、伝送路は、壁面に沿って設置されていてもよい。
【００１８】
上記の構成によれば、伝送路が長いものを用いている場合でも、壁面に沿って設置されているため邪魔になりにくく、リモコンの操作者などが伝送路に引っ掛って躓くこともない。
【発明を実施するための最良の形態】
【００１９】
本発明における実施形態を図１乃至図５に基づいて以下に説明する。
【００２０】
（赤外線伝送装置１の使用概要）
図１は、本発明の赤外線伝送装置１が設置された室内の全体図である。同室内は、天井面２００、壁面３００、および床面４００を有しており、壁面３００の近辺には、リモコン２によってチャンネル切り替えなどが遠隔操作可能なテレビ３が台５００上に配置されている。また、天井面２００には、赤外線伝送装置１の受光部１０が設置されている。受光部１０は、リモコン２から発せられたテレビ３を操作する赤外線１００を受光する機能を有している。一方、テレビ３の受光部（図示しない）には、赤外線伝送装置１の出光部２０が設置されている。出光部２０は、受光部１０によって受光された赤外線１００をテレビ３の受光部に出光する役割を有している。また、赤外線伝送装置１の受光部１０を一端に、出光部２０を他端にして、光ファイバーケーブル３０が設けられており、さらに、光ファイバーケーブル３０は、壁面３００に沿って設置されている。この光ファイバーケーブル３０は、受光部１０から受光された赤外線１００を出光部２０に伝送する役割を有している。なお、光ファイバーケーブル３０は、所望の長さを選択でき、且つ柔軟に曲折可能であるため、テレビ３に限らず所望の操作対象である電気機器の受光部に、出光部２０を設置することが可能である。
【００２１】
前述したような室内に設置された赤外線伝送装置１を利用することにより、テレビ３を操作するためにリモコン２から発せられた赤外線１００を赤外線伝送装置１の受光部１０が一旦受光し、光ファイバーケーブル３０を経由して、出光部２０から再び赤外線１００を出光することができる。これにより、リモコン２と操作対象となるテレビ３の受光部との間に障害物があった場合でも、赤外線伝送装置１の出光部２０をテレビ３の受光部に設置することで、確実にリモコン２から発せられた赤外線１００をテレビ３の受光部に受光させることができる。
【００２２】
（赤外線伝送装置１の構成）
図２は、赤外線伝送装置１の構成図である。前述したように、赤外線伝送装置１は、受光部１０と発光部２０とが、光ファイバーケーブル３０により連結された構成を有している。
【００２３】
図２に示すように、受光部１０は、集光部１１、受光側連結部１２、および受光側取り付け部１３、を有している。
【００２４】
受光部１０のベースとなる集光部１１は、受光部１０の上部に位置する受光側取り付け部１３側から、下部に位置する受光側連結部１２側へと徐々に口径が小さくなるように、凹状の曲面が円周方向に連続した形状に形成されている。つまり、凹状の曲面により、集光部１１は上部が開口面となるお椀状に形成されている。また、お椀状に形成された集光部１１の底部には、受光した赤外線１００を通過させるための孔（図示しない）が形成されている。ここで、『集光部１１の底部』とは、集光部１１における開口面とは反対の部位であり、所謂お椀状の集光部１１の底である。このような集光部１１は、凹状の曲面を利用して、リモコン２から発せられた赤外線１００の方向を後述する受光側連結部１２に向かせる役割を有している。詳細は、図４にて説明する。
【００２５】
受光部１０の下部に位置する受光側連結部１２は、円柱状に形成されており、集光部１１の底部に設けられている。なお、集光部１１の底部に形成された孔と同口径の孔（図示しない）が受光側連結部１２にも形成されており、後述する光ファイバーケーブル３０と連絡されている。この受光側連結部１２により、受光部１０と光ファイバーケーブル３０とが連結されている。
【００２６】
受光部１０の上部に位置する受光側取り付け部１３は、帯状に形成されており、集光部１１の上縁の一部に設けられている。具体的には、受光側取り付け部１３の一端１３ａが集光部１１の上側に位置するように、他端１３ｂが集光部１１の上縁の一部を支点として、集光部１１に支持されている。また、受光側取り付け部１３の一端１３ａには、受光側接着部１４が設けられている。受光側接着部１４は、両面テープ（図示しない）などにより、受光部１０を天井面２００などに設置する役割を有している。また、受光側取り付け部１３は、受光側接着部１４を接着することにより天井面２００などに受光部１０を設置した際、集光部１１と天井面２００との間に隙間ができるように、一端１３ａから他端１３ｂにかけて湾曲して集光部１１に設けられている。
【００２７】
一方、図２に示すように、出光部２０は、漏光防止部２１、出光側連結部２２、および出光側取り付け部２３、を有している。
【００２８】
漏光防止部２１は、集光部１１と同じく凹状の曲面により、下部が開口面となるお椀状に形成されている。また、お椀状に形成された漏光防止部２１の底部には、光ファイバーケーブル３０を伝送した赤外線１００を通過させるための孔（図示しない）が形成されている。ここで、『漏光防止部２１の底部』とは、漏光防止部２１における開口面とは反対の部位である、所謂お椀状の漏光防止部２１の底である。このような漏光防止部２１は、凹状の曲面を利用して、光ファイバーケーブル３０を伝送して出光される赤外線１００の方向をテレビ３などの電気機器が有する受光部に向かせる役割を有している。詳細は、図５にて説明する。
【００２９】
出光側連結部２２は、受光側連結部１２と同じく円柱状に形成されており、漏光防止部２１の底部に設けられている。なお、漏光防止部２１の底部に形成された孔と同口径の孔（図示しない）が出光側連結部２２にも形成されており、光ファイバーケーブル３０から連絡されている。この出光側連結部２２により、出光部２０と光ファイバーケーブル３０とが連結されている。
【００３０】
出光側取り付け部２３は、受光側取り付け部１３と同じく帯状に形成されており、受光側取り付け部１３が集光部１１に設けられているのと同様に、出光側取り付け部２３は、漏光防止部２１に設けられている。また、出光側取り付け部２３は、一端２３ａに出光側接着部２４を有しており、両面テープ（図示しない）などにより、出光部２０をテレビ３などの電気機器に設置する役割を有している。
【００３１】
（光ファイバーケーブル３０の構成）
受光部１０と発光部２０との間に設けられた光ファイバーケーブル３０は、図３に示すような構成を有している。
【００３２】
図３に示すように、光ファイバーケーブル３０は、コア３１と、２つの応力付与部３２・３３とを備えたクラッド３４とが、保護材３５により被覆された形からなる。具体的には、応力付与部３２・３３が、コア３１を中心として左右対称に所定距離の間隔をあけてクラッド３４内に埋設されているものである。
【００３３】
コア３１は、光ファイバーケーブル３０の断面中央に軸方向に沿って形成されているものであり、赤外線１００などの光が伝送できる領域である。
【００３４】
応力付与部３２・３３は、光ファイバーケーブル３０の断面方向の応力バランスを制御することにより、コア３１に光を伝送させ易くしている。
【００３５】
また、コア３１はクラッド３４よりも屈折率が高くなっている。これにより、コア３１を伝送する光がクラッド３４との境界面で全反射を繰り返し、クラッド３４に漏れることなく、コア３１内を光が伝送するようになっている。
【００３６】
保護材３５は、コア３１内を伝送する光に側圧などが及ぼす影響を防ぐ役割を有している。
【００３７】
（受光部１０の設置方法）
次に、図４に示すように、図２のＡ−Ａ矢印方向における受光部１０の断面図を用いて、受光部１０の設置方法を説明する。
【００３８】
図４に示すように、受光部１０の設置は、受光側接着部１４に両面テープ（図示しない）などを貼り付け、天井面２００に両面テープの粘着により設置する。なお、本発明において、受光部１０の設置は両面テープに限定する必要はなく、受光側接着部１４と天井面２００とを接着できるものであれば、何れの方法を用いても良い。
【００３９】
さらに、受光部１０は、天井面２００に対して凹状の曲面が向くように、天井面２００に設置される。つまり、凹状の曲面によりお椀状に形成された集光部１１の開口面が、天井面２００に対して向くように天井面２００に設置される。この時、受光側取り付け部１３は湾曲した形状を有するため、集光部１１と天井面２００との間には隙間ができるようになっている。受光部１０は、この隙間により、リモコン２から発せられた赤外線１００を受光する。
【００４０】
（出光部２０の設置方法）
次に、図５に示すように、図２のＢ−Ｂ矢印方向における受光部１０の断面図を用いて、出光部２０の設置方法を説明する。
【００４１】
図５に示すように、出光部２０の設置は、出光側接着部２４に両面テープ（図示しない）などを貼り付け、テレビ３に両面テープの粘着により設置する。なお、本発明において、受光部１０の設置は両面テープに限定する必要はなく、出光側接着部２４とテレビ３とを接着できるものであれば、何れの方法を用いても良い。
【００４２】
さらに、出光部２０は、お椀状に形成された漏光防止部２１の開口面が、テレビ３の受光部４０に対して向くようにテレビ３に設置される。なお、出光部２０は、受光部１０の設置の様に外部から赤外線１００を受光しないため、必ずしもテレビ３との間に隙間を有する必要はない。
【００４３】
（光ファイバーケーブル３０の設置方法）
次に、図１を用いて、光ファイバーケーブル３０の設置方法を説明する。本実施形態の場合、受光部１０が天井面２００に設置され、出光部２０がテレビ３に設置されている。光ファイバーケーブル３０は、所望の長さを選択でき、且つ柔軟に曲折可能であるため、受光部１０と出光部２０が離れていても自由に両者を結ぶことが可能である。
【００４４】
図１に示すように、受光部１０に連結された光ファイバーケーブル３０は、壁面３００に沿って天井面２００から床面４００に向かって下り、床面４００に到達する直前で台５００に向かって屈曲し、台５００を介してテレビ３の受光部（図示しない）に設置する。
【００４５】
このように光ファイバーケーブル３０を設置することにより、光ファイバーケーブル３０が長いものを用いている場合でも、壁面３００に沿って設置されているため邪魔になりにくく、リモコン２の操作者などが光ファイバーケーブル３０に引っ掛って躓くこともない。
【００４６】
（受光部１０における赤外線１００の受光動作）
次に、図４に示す受光部１０の断面図を用いて、リモコン２から発せられた赤外線１００が受光される様子を説明する。
【００４７】
前述したように、受光部１０は、天井面２００に対して凹状の曲面が向くように、天井面２００に設置されている。このように受光部１０を設置することにより、リモコン２から発せられた赤外線１００は、一旦、天井面２００で反射をすることになる。その後、反射した赤外線１００は集光部１１が有する凹状の曲面により、再度反射を繰り返し、受光側連結部１２に集光される。受光側連結部１２に集光された赤外線１００は、集光部１１および受光側連結部１２が有する孔１５を通過して光ファイバーケーブル３０を伝送する。
【００４８】
これにより、リモコン２から発せられた赤外線１００が受光部１０から離れた位置に照射された場合でも、赤外線１００が天井面２００に反射することを利用して、赤外線１００を光ファイバーケーブル３０に向けて集光させることができる。
【００４９】
また、受光側連結部１２から離れた位置に赤外線１００が照射された場合でも、集光部１１が有する凹状の曲面の反射により、赤外線１００を光ファイバーケーブル３０に向けて集光させ易くでき、受光部１０の受光範囲が広がる。
【００５０】
（出光部２０における赤外線１００の出光動作）
次に、図５に示す出光部２０の断面図を用いて、光ファイバーケーブル３０を伝送した赤外線１００が、出光部２０から出光される様子を説明する。
【００５１】
図５に示すように、受光部１０から受光された赤外線１００は、光ファイバーケーブル３０を伝送し、出光側連結部２２および漏光防止部２１が有する孔２５を通過して、出光部２０から外部に出光する。この時、出光された赤外線１００が孔２５の内面に反射して屈折した場合でも、出光された赤外線１００は漏光防止部２１が有する凹状の曲面により再度反射を繰り返し、テレビ３の受光部４０に照射され、チャンネル切り替えなどの遠隔操作が可能となる。
【００５２】
上記のように、テレビ３を操作するためにリモコン２から発せられた赤外線１００を赤外線伝送装置１の受光部１０が一旦受光し、光ファイバーケーブル３０を経由して、出光部２０から再び赤外線１００を出光することができる。これにより、リモコン２と操作対象となるテレビ３の受光部４０との間に障害物があった場合でも、赤外線伝送装置１の出光部２０をテレビ３の受光部４０に設置することで、確実にリモコン２から発せられた赤外線１００をテレビ３の受光部４０に受光させることができる。
【００５３】
また、光ファイバーケーブル３０を用いることにより、赤外線伝送装置１の受光部１０が受光した赤外線１００を伝送するために電気信号などに変換する必要がなく、受光した赤外線１００をそのまま操作対象のテレビ３の受光部４０に受光させることができる。さらに、所望の長さを選択でき、且つ柔軟に曲折可能であるため、赤外線伝送装置１の設置の自由度が向上する。
【００５４】
（本発明の実施形態の概要）
以上のように、本発明の一実施形態に係る赤外線伝送装置１は、リモコン２から発せられた電気機器（テレビ３）を操作する赤外線１００を受光する受光部１０と、一端に受光部１０が設けられ、他端に受光部１０から受光された赤外線１００を電気機器（テレビ３）に出光する出光部２０が設けられた、赤外線１００を伝送する伝送路（光ファイバーケーブル３０）と、を備えている。
【００５５】
上記の構成によれば、電気機器（テレビ３）を操作するためにリモコン２から発せられた赤外線１００を赤外線伝送装置１の受光部１０が一旦受光し、伝送路（光ファイバーケーブル３０）を経由して、出光部２０から再び赤外線１００を出光することができる。これにより、リモコン２と操作対象となる電気機器（テレビ３）の受光部１０との間に障害物があった場合でも、赤外線伝送装置１の出光部２０を電気機器の受光部（テレビ３の受光部４０）に設置することで、確実にリモコン２から発せられた赤外線１００を電気機器の受光部（テレビ３の受光部４０）に受光させることができる。
【００５６】
また、本発明に係る赤外線伝送装置１において、伝送路が光ファイバーケーブル３０であってもよい。
【００５７】
上記の構成によれば、赤外線伝送装置１の受光部１０が受光した赤外線１００を伝送するために電気信号などに変換する必要がなく、受光した赤外線１００をそのまま操作対象の電気機器の受光部（テレビ３の受光部４０）に受光させることができる。さらに、所望の長さを選択でき、且つ柔軟に曲折可能であるため、赤外線伝送装置１の設置の自由度が向上する。
【００５８】
また、本発明に係る赤外線伝送装置１において、リモコン２から発せられた赤外線１００を反射させ、赤外線１００の方向を受光部１０と伝送路（光ファイバーケーブル３０）との連結部（受光側連結部１２）に向かせる凹状の曲面（集光部１１）を有していてもよい。
【００５９】
上記の構成によれば、リモコン２から発せられた赤外線１００を凹状の曲面（集光部１１）で反射させることにより、赤外線伝送装置１の受光部１０と伝送路（光ファイバーケーブル３０）との連結部（受光側連結部１２）に赤外線１００の方向を向かせることができる。これにより、受光部１０と伝送路（光ファイバーケーブル３０）との連結部（受光側連結部１２）から離れた位置に赤外線１００が照射された場合でも、凹状の曲面（集光部１１）の反射により、赤外線１００を伝送路（光ファイバーケーブル３０）に向けて集光させ易くでき、受光部１０の受光範囲が広がる。
【００６０】
また、本発明に係る赤外線伝送装置１において、受光部１０は、天井面２００に対して凹状の曲面（集光部１１）が向くように、天井面２００に取り付けられていてもよい。
【００６１】
上記の構成によれば、リモコン２から発せられた赤外線１００が受光部１０から離れた位置に照射された場合でも、赤外線１００が天井面２００に反射することを利用して、赤外線１００を伝送路（光ファイバーケーブル３０）に向けて集光させることができる。
【００６２】
また、本発明に係る赤外線伝送装置１において、伝送路（光ファイバーケーブル３０）は、壁面３００に沿って設置されていてもよい。
【００６３】
上記の構成によれば、伝送路（光ファイバーケーブル３０）が長いものを用いている場合でも、壁面３００に沿って設置されているため邪魔になりにくく、リモコン２の操作者などが伝送路（光ファイバーケーブル３０）に引っ掛って躓くこともない。
【００６４】
（本実施形態の変形例）
以上、本発明の一実施形態を説明した。なお、本発明は上記の実施形態に限定する必要はない。本発明における別の実施形態を図６乃至図８に基づいて以下に説明する。
【００６５】
例えば、図６は、本発明の別の実施形態における受光部１０の断面図である。図４に示す湾曲した受光側取り付け部１３の代わりに、図６に示す天井面２００に対して直交する受光側取り付け部１３０のような構成としても良い。この場合、湾曲した受光側取り付け部１３よりも集光部１１と天井面２００との隙間を作り易くなる。
【００６６】
また、図７は、本発明の別の実施形態における出光部２０の断面図である。図５に示す漏光防止部２１および出光側取り付け部２３の代わりに、図７に示す天井面２００に対して隙間なく設置可能な出光側取り付け部２３０のような構成としても良い。この場合、出光された赤外線１００は、外部に漏れる恐れがないため、より確実にテレビ３の受光部４０に赤外線１００を照射することができる。
【００６７】
また、図８は、本発明の別の実施形態における赤外線伝送装置１が設置された室内の全体図である。
【００６８】
図１と同様に、同室内の壁面３００の近辺には、リモコン２によってチャンネル切り替えなどが遠隔操作可能なテレビ３が配置されている。なお、図８の場合、テレビ３の近辺に通行人が出入りする出入り口６００が存在する。この場合、図１のように１個の赤外線伝送装置１を配置すると、光ファイバーケーブル３０が出入り口６００を横切ることになり、通行人の妨げとなる恐れがある。
【００６９】
そこで、図８に示すような本発明の別の実施形態は、２個の赤外線伝送装置１ａ・１ｂが出入り口６００を挟んで配置されている。これにより、出入り口６００を通る通行人が光ファイバーケーブル３０で躓くこともなく、リモコン２によるテレビ３の遠隔操作が可能となる。
【００７０】
また、本実施例では、電気機器の例としてテレビ３を用いて説明しているが、これに限定されることはなく、リモコン２により遠隔操作可能な電気機器であれば何れの電気機器に設置しても良い。
【００７１】
以上、本発明の実施例を説明したが、具体例を例示したに過ぎず、特に本発明を限定するものではなく、具体的構成などは、適宜設計変更可能である。また、発明の実施形態に記載された、作用及び効果は、本発明から生じる最も好適な作用及び効果を列挙したに過ぎず、本発明による作用及び効果は、本発明の実施形態に記載されたものに限定されるものではない。
【図面の簡単な説明】
【００７２】
【図１】本発明の赤外線伝送装置が設置された室内の全体図である。
【図２】赤外線伝送装置の構成図である。
【図３】光ファイバーケーブルの構成図である。
【図４】図２のＡ−Ａ矢印方向における受光部の断面図である。
【図５】図２のＢ−Ｂ矢印方向における出光部の断面図である。
【図６】本発明の別の実施形態における受光部の断面図である。
【図７】本発明の別の実施形態における出光部の断面図である。
【図８】本発明の別の実施形態における赤外線伝送装置が設置された室内の全体図である。
【符号の説明】
【００７３】
１      赤外線伝送装置
２      リモコン
３      テレビ
１０      受光部
２０      出光部
３０      光ファイバーケーブル
１００      赤外線
２００      天井面
３００      壁面
４００      床面
５００      台 
【図１】
2009278164.tif 000003
【図２】
2009278164.tif 000004
【図３】
2009278164.tif 000005
【図４】
2009278164.tif 000006
【図５】
2009278164.tif 000007
【図６】
2009278164.tif 000008
【図７】
2009278164.tif 000009
【図８】
2009278164.tif 000010